(57)【要約】【課題】全館空調システムに設けられた調湿装置における結露の発生を抑制する。【解決手段】  コントローラ７０は、一つ以上の主ダクト３ａ、３ｂにサブダクト３０を介して接続された加湿器２０と、加湿器２０に送風ダクト５０を介して接続された送風ファン４０とを制御する。コントローラ７０は、主ダクト３ａ、３ｂの端部に設けられた風量調整ダンパ８０ａ、８０ｂの開閉状況に関する情報を取得する取得部７２と、取得部で取得されたダンパの開閉状況に関する情報に基づき、加湿器２０が結露する条件を満たすか否かを判定する判定部７４と、判定部７４により加湿器２０が結露する条件を満たすと判定された場合に、送風ファン４０を起動する制御部７６とを備える。【選択図】図３
2020176779.tif 000002
【特許請求の範囲】
【請求項１】
一つ以上の主ダクトにサブダクトを介して接続された調湿装置と、当該調湿装置に送風ダクトを介して接続された送風ファンと、を制御するコントローラであって、
前記主ダクトの端部に設けられたダンパの開閉状況に関する情報を取得する取得部と、
前記取得部で取得された前記ダンパの開閉状況に関する情報に基づき、前記調湿装置が結露する条件を満たすか否かを判定する判定部と、
前記判定部により前記調湿装置が結露する条件を満たすと判定された場合に、前記送風ファンを起動する制御部と、
を備えることを特徴とするコントローラ。
【請求項２】
前記判定部は、前記主ダクトに空調空気を送る空調装置の風量、当該空調装置の運転モード、並びに前記調湿装置周辺の温度及び湿度のうち少なくとも一つの情報と、前記ダンパの開閉状況に関する情報とに基づき、前記調湿装置が結露する条件を満たすか否かを判定することを特徴とする請求項１記載のコントローラ。
【請求項３】
前記判定部は、前記空調装置の風量、前記空調装置の運転モード、並びに前記調湿装置周辺の温度及び湿度のうち少なくとも一つの情報と、前記ダンパの開閉状況に関する情報とを学習データとして、機械学習により前記調湿装置が結露する条件を学習することを特徴とする請求項２記載のコントローラ。
【請求項４】
一つ以上の主ダクトにサブダクトを介して接続された調湿装置と、当該調湿装置に送風ダクトを介して接続された送風ファンと、を制御するコントローラによる前記調湿装置の結露抑制方法であって、
取得部が、前記主ダクトの端部に設けられたダンパの開閉状況に関する情報を取得するステップと、
判定部が、前記取得部で取得された前記ダンパの開閉状況に関する情報に基づき、前記調湿装置が結露する条件を満たすか否かを判定するステップと、
制御部が、前記判定部により前記調湿装置が結露する条件を満たすと判定された場合に前記送風ファンを起動するステップと、
を有することを特徴とする結露抑制方法。
【請求項５】
一つ以上の主ダクトの端部に設けられたダンパの開閉状況に関する情報を取得するステップと、
前記取得されたダンパの開閉状況に関する情報に基づき、前記主ダクトにサブダクトを介して接続された調湿装置が結露する条件を満たすか否かを判定するステップと、
前記判定部により前記調湿装置が結露する条件を満たすと判定された場合に、前記送風ファンを起動するステップと、
をコンピュータに実行させることを特徴とするプログラム。
【発明の詳細な説明】
【技術分野】
【０００１】
この発明は、全館空調システムに設けられた調湿装置における結露の発生を抑制する技術に関する。
【背景技術】
【０００２】
全館空調システムでは、空調装置が作り送出する冷風または温風などの空調空気を、ダクトを通じて各部屋に供給することで、全館空調を行う。このような全館空調システムに対し、加湿された空気を作る加湿ユニットを付加し、加湿ユニットからの加湿空気を空調装置からの空調空気とともに供給する加湿空気搬送システムが知られている（例えば特許文献１参照）。
【０００３】
この加湿空気搬送システムは、冷暖房機能を有する全館空調システムと、加湿された空気（加湿空気）を作る加湿ユニットとから構成される。ここでは、全館空調システムの室内機の室内空気吸込口近傍に、ダクトを介して加湿ユニットと接続された吹出口が隣接して設置される。そして、加湿ユニットの吹出口から吹き出された加湿空気を、室内空気吸込口から直接吸わせることにより、全館空調システムに加湿空気が供給され、空調空気とともに加湿空気が供給されて全館の温湿度が均一化される。
【０００４】
また、これに関連して、空調装置から送出された空調空気が流れる主ダクトに、加湿ユニットから送出された加湿空気が流れるサブダクトを接続し、空調空気に加湿空気を合流させて全館に供給するタイプの全館空調システムも知られている。
【先行技術文献】
【特許文献】
【０００５】
【特許文献１】特開２００３−３０２０７５号公報
【発明の概要】
【発明が解決しようとする課題】
【０００６】
一般に、例えば夏季などの冷房使用時には加湿ユニット（加湿器）は停止中であることが多い。このとき、上記のように、空調空気が流れる主ダクトに加湿空気が流れるサブダクトを接続するタイプの全館空調システムでは、空調装置から送出された冷風がサブダクトを介して加湿器に逆流する場合がある。加湿器自体は一般的には例えば天井裏などの隠蔽された場所に置かれているため、特に夏季のような気候では加湿器は高温多湿の環境下にある。かかる状況で加湿器に冷風が逆流すると、逆流してきた冷風で加湿器が冷やされ、加湿器周辺の空気の温度が低下して飽和水蒸気量が減少し、加湿器が結露することがある。このような結露の発生は、加湿器をはじめ、湿度を調整する調湿装置にとって不具合要因になるため、結露の発生を抑制するなどの改善が求められている。
【０００７】
この発明は、上記のような課題を解決するためになされたもので、全館空調システムに設けられた調湿装置における結露の発生を抑制することを目的としている。
【課題を解決するための手段】
【０００８】
この発明に係るコントローラは、一つ以上の主ダクトにサブダクトを介して接続された調湿装置と、当該調湿装置に送風ダクトを介して接続された送風ファンと、を制御するコントローラであって、主ダクトの端部に設けられたダンパの開閉状況に基づき、調湿装置が結露する条件を満たすか否かを判定する判定部と、判定部により調湿装置が結露する条件を満たすと判定された場合に、前記送風ファンを起動する制御部とを備えることを特徴とする。
【発明の効果】
【０００９】
この発明によれば、上記のように構成したので、全館空調システムに設けられた調湿装置における結露の発生を抑制することができる。
【図面の簡単な説明】
【００１０】
【図１】この発明の実施の形態１に係るコントローラを備えた全館空調システムの構成例を示す図である。
【図２】この発明の実施の形態１に係るコントローラを備えた全館空調システムにおける加湿器周辺の構成を模式的に示した図である。
【図３】この発明の実施の形態１に係るコントローラの構成例を示す図である。
【図４】この発明の実施の形態１に係るコントローラによる制御の流れを示すフローチャートである。
【発明を実施するための形態】
【００１１】
以下、この発明の実施の形態について図面を参照しながら詳細に説明する。
【００１２】
実施の形態１．
図１は、この発明の実施の形態１に係るコントローラを備えた全館空調システムの構成例を示す図である。この全館空調システムは、複数の部屋を対象に空調を行うものであり、ここでは、建物内の１階の部屋１００ａ，１００ｂと２階の部屋２００ｃ，２００ｄの計４つの部屋を対象とした場合を例に示す。また、ここでは、調湿装置が後述する加湿器２０である場合を例に示す。
【００１３】
全館空調システムは、冷風又は温風を作り送出する空調装置１と、空調装置１が作った風が導入されるサプライチャンバ２と、サプライチャンバ２に一端部が接続する主ダクト３ａ，３ｂと、主ダクト３ａ，３ｂの他端部がそれぞれ接続する分岐チャンバ４ａ，４ｂと、分岐チャンバ４ａ，４ｂと各部屋の吹出口７ａ〜７ｄとをつなぐ分岐ダクト５ａ〜５ｄと、外気の取り入れと室内空気の排出を担う換気装置６と、加湿した空気を作る加湿器２０と、加湿器２０と主ダクト３ａ、３ｂとを接続するサブダクト３０と、加湿器２０に送風する送風ファン４０と、加湿器２０と送風ファン４０とを接続する送風ダクト５０と、を含んで構成される。
【００１４】
空調装置１は、建物内の機械室２００ｅに設置される室内機１１と建物外に設置される室外機１２とで構成され、冷媒、圧縮機、熱交換器、ファン等の働きにより室内機１１で冷風又は温風（以下、空調空気と称する）を作り送出する。室外機１２との協働により室内機１１が作り送出した空調空気は、室内機１１の上部に設置されたサプライチャンバ２内へ導入される。
【００１５】
サプライチャンバ２には２本の主ダクト３ａ，３ｂの一端部が接続されており、室内機１１からサプライチャンバ２内へ導入された空調空気は、主ダクト３ａ，３ｂへと２つに分岐する。主ダクト３ａ，３ｂの他端部は、分岐チャンバ４ａ，４ｂにそれぞれ接続されている。分岐チャンバ４ａ，４ｂは、例えば天井裏の空間に設置されている。
分岐チャンバ４ａには２本の分岐ダクト５ａ，５ｂの一端部が接続されており、主ダクト３ａから分岐チャンバ４ａ内へ導入された空調空気は、分岐ダクト５ａ，５ｂへと２つに分岐する。同様に、分岐チャンバ４ｂには２本の分岐ダクト５ｃ，５ｄの一端部が接続されており、主ダクト３ｂから分岐チャンバ４ｂ内へ導入された空調空気は、分岐ダクト５ｃ，５ｄへと２つに分岐する。
【００１６】
分岐ダクト５ａ〜５ｄの他端部は、部屋１００ａ，１００ｂ，２００ｃ，２００ｄの例えば天井に設けられた吹出口７ａ〜７ｄにそれぞれ接続されており、室内機１１が送出した空調空気は、最終的に吹出口７ａ〜７ｄから各部屋内へ吹き出される。なお、図示例では、主ダクト３ａを通じて１階の部屋１００ａ，１００ｂを空調し、主ダクト３ｂを通じて２階の部屋２００ｃ，２００ｄを空調することで、階別に空調ゾーンが設定されるように構成されている。
【００１７】
また、室内空気は、各部屋から廊下等を通って機械室２００ｅへと入り、ファン等を有する換気装置６によって排気ダクト８ａを介して建物外へ排気される。例えば、部屋１００ａ，１００ｂ内の空気であれば、部屋１００ａ，１００ｂの下部に設けられた通風孔を通って１階の廊下１００ｆに入り、階段１００ｇを伝って２階の廊下２００ｈへ抜け、廊下２００ｈと機械室２００ｅとの間の通風孔を通って機械室２００ｅへと入る。さらに換気装置６は、吸気ダクト８ｂを介して外気を取り入れる働きも有し、取り入れた外気は室内機１１へと送られる。
【００１８】
送風ファン４０は、部屋２００ｄの例えば天井に設けられた吸気口６０から部屋２００ｄの空気を取り込み、送風ダクト５０を介して加湿器２０に送風する。加湿器２０は、送風ファン４０から送られた空気を用いて気化式など既知の方法により加湿した空気（以下、加湿空気と称する）を作り、加湿空気をサブダクト３０に送出する。加湿器２０が送出した加湿空気は、サブダクト３０から主ダクト３ａ、３ｂに合流し、主ダクト３ａ、３ｂを流れる空調空気とともに吹出口７ａ〜７ｄから各部屋内へ吹き出される。加湿器２０及び送風ファン４０は分岐チャンバ４ａ、４ｂと同様、天井裏の空間に設置されている。
全館空調システムの上記動作は、全館空調システムを総括的に制御する後述のコントローラにより制御される。
【００１９】
一般に、加湿器が設置される天井裏は部屋の外にある隠蔽された空間であり、特に夏季では高温多湿となりやすい。かかる状況において、空調装置が冷房モードで運転され、加湿器及び送風ファンが停止している場合、従来の全館空調システムでは、空調装置から送出した空調空気（冷風）が主ダクトからサブダクト内に逆流し、冷風が加湿器内に流入してしまうことがある。冷風により加湿器が冷やされると、加湿器周辺の空気の温度が低下し、飽和水蒸気量が低下して加湿器が結露することがある。そこで、実施の形態１に係るコントローラは、このような冷風の逆流に起因する加湿器の結露の発生を抑制する。以下、コントローラによる具体的な制御の流れについて説明する。
【００２０】
図２は、実施の形態１に係るコントローラを備えた全館空調システムにおける加湿器２０周辺の構成を模式的に示した図である。なお、ここではコントローラ７０が空調装置１に搭載された場合を例に説明する。しかしながら、コントローラは必ずしも空調装置１に搭載されている必要はなく、空調装置１とは別体として配置されていてもよい。
【００２１】
加湿器２０は、サブダクト３０を介して主ダクト３ａ、３ｂと接続され、送風ダクト５０を介して送風ファン４０と接続されている。サブダクト３０は、フレキシブルダクト３２ａ、３２ｂと、Ｙ分岐ダクト３４とを含んで構成される。フレキシブルダクト３２ａは、一端部が主ダクト３ａに設けられたＴ分岐ダクト３ａ−１に接続され、他端部がＹ分岐ダクト３４の接続口３４ａに接続されている。同様に、フレキシブルダクト３２ｂは、一端部が主ダクト３ｂに設けられたＴ分岐ダクト３ｂ−１に接続され、他端部がＹ分岐ダクト３４の接続口３４ｂに接続されている。Ｙ分岐ダクト３４の接続口３４ｃは、加湿器２０の加湿空気の送出口２２に接続されている。
【００２２】
送風ダクト５０は、一端部が送風ファン４０に接続され、他端部が加湿器２０の空気取込口２４に接続されている。
【００２３】
主ダクト３ａ、３ｂの分岐チャンバ４ａ、４ｂ側の端部には、各部屋に吹き出される空調空気または加湿空気の風量を調整する風量調整ダンパ８０ａ、８０ｂが設けられている。風量調整ダンパ８０ａ、８０ｂはコントローラ７０と接続されている。コントローラ７０は、例えばユーザにより各部屋の設定温度や風量を変更する操作が行われると、当該操作に応じて風量調整ダンパ８０ａ、８０ｂの開閉状況を変更する。
【００２４】
また、コントローラ７０は加湿器２０とも接続されており、加湿器２０周辺の温度及び湿度に関する情報を取得する。また、コントローラ７０は空調装置１の運転モードに関する情報等も取得する。コントローラ７０はこのように取得した情報と、風量調整ダンパ８０ａ、８０ｂの開閉状況に関する情報とを用いて、加湿器２０が結露する条件を満たしているか否かを判定する。さらに、コントローラ７０は送風ファン４０とも接続されており、加湿器２０が結露する条件を満たしていると判定した場合に送風ファン４０を起動する。ここでは加湿器２０と送風ファン４０とはそれぞれ独立して稼働する。
【００２５】
なお、各ダクトは図２に示すように、主ダクト３ａ、３ｂの直径がサブダクト３０及び送風ダクト５０の直径よりも大きくなるように構成される。一例としては、例えば主ダクト３ａ、３ｂは直径２５０ｍｍ、サブダクト３０及び送風ダクト５０は直径１５０ｍｍである。
【００２６】
次に、図３を参照しながら、実施の形態１に係るコントローラ７０の構成例を説明する。コントローラ７０は、取得部７２と、判定部７４と、制御部７６とを備える。
【００２７】
取得部７２は、主ダクト３ａ、３ｂの分岐チャンバ４ａ、４ｂ側の端部に設けられた風量調整ダンパ８０ａ、８０ｂの開閉状況に関する情報を取得する。風量調整ダンパ８０ａ、８０ｂの開閉状況に関する情報は、例えば各ダンパ８０ａ、８０ｂの開度である。
【００２８】
また、取得部７２は、空調装置１の運転モードに関する情報、空調装置１が送出している空調空気の風量に関する情報、並びに加湿器２０周辺の温度及び湿度に関する情報を取得する。空調装置１の運転モードに関する情報は例えば冷房運転、暖房運転などである。空調装置１が送出している空調空気の風量、並びに加湿器２０周辺の温度及び湿度に関する情報は、予め空調装置１又は加湿器２０に設けられた各種センサ（不図示）により検出される。
【００２９】
判定部７４は、取得部７２で取得された各情報を用いて、加湿器２０が結露する条件を満たすか否かを判定する。判定部７４は、過去の風量調整ダンパ８０ａ、８０ｂの開度、空調装置１の風量、運転モード、及び加湿器２０周辺の温度、湿度に関するデータ、並びに実験により得られたこれらのデータ等を用いて、ＡＩ（Ａｒｔｉｆｉｃｉａｌ  Ｉｎｔｅｌｌｉｇｅｎｃｅ）などの機械学習により加湿器２０が結露する条件を予め学習している。
【００３０】
制御部７６は、判定部７４により加湿器２０が結露する条件を満たすと判定された場合に送風ファン４０を起動する。
【００３１】
このほかコントローラ７０は、ＣＰＵ（Ｃｅｎｔｒａｌ  Ｐｒｏｃｅｓｓｉｎｇ  Ｕｎｉｔ）、外部装置との通信を行う通信部、メモリなどの記憶部等を備えている。コントローラ７０では、ＣＰＵが予めメモリに記憶されている所定のプログラムを実行することにより、取得部７２、判定部７４、制御部７６の各機能が実現される。
【００３２】
次に、実施の形態１に係るコントローラ７０による制御の流れについて、図４のフローチャートに基づき、具体的な例を挙げながら説明する。ここでは、特に加湿器２０が結露しやすい条件として、空調装置１が冷房モードで運転され、加湿器２０及び送風ファン４０が停止している場合を例に説明する。
【００３３】
空調装置１が冷房モードで運転すると、空調装置１から送出された冷風は主ダクト３ａ、３ｂを図２の白抜矢印の方向へ流れ、分岐チャンバ４ａ、４ｂ、分岐ダクト５ａ〜５ｄを経て吹出口７ａ〜７ｄから各部屋１００ａ、１００ｂ、２００ｃ、２００ｄに供給される。各部屋の温度が低下すると、例えばユーザにより風量を下げる操作が行われ、この操作に応じて、主ダクト３ａ、３ｂの分岐チャンバ４ａ、４ｂ側の端部に設けられた風量調整ダンパ８０ａ、８０ｂが閉じる方向に動作する。すると、主ダクト３ａ、３ｂ内には冷風が滞留し、主ダクト３ａ、３ｂ内の圧力が次第に上昇する。
【００３４】
やがて主ダクト３ａ、３ｂ内の圧力がサブダクト３０内の圧力よりも大きくなると、主ダクト３ａ、３ｂ内に滞留していた冷風は図２の点線矢印で示すように、Ｔ分岐ダクト３ａ−１、３ａ−２からサブダクト３０（フレキシブルダクト３２ａ、３２ｂ）内に逆流し、加湿器２０方向へ流れる。そうすると、加湿器２０が冷風で冷やされ、加湿器２０周辺の空気の温度が下がり、当該空気の飽和水蒸気量が低下して加湿器２０が結露しやすい状況になる。
【００３５】
ここで、まず制御部７６は、加湿器２０及び送風ファン４０が停止しているか否かを確認する（ステップＳＴ１）。
【００３６】
ここでは、制御部７６により加湿器２０及び送風ファン４０が停止していることが確認される（ステップＳＴ１におけるＹＥＳ）。すると、取得部７２は、主ダクト３ａ、３ｂの分岐チャンバ４ａ、４ｂ側の端部に設けられた風量調整ダンパ８０ａ、８０ｂの開閉状況に関する情報（例えば開度）を取得する（ステップＳＴ２）。
【００３７】
次に、取得部７２は、空調装置１の運転モードに関する情報、空調装置１が送出している空調空気の風量に関する情報、加湿器２０周辺の温度及び湿度に関する情報を取得する（ステップＳＴ３）。
【００３８】
次に、判定部７４は、取得部７２で取得された各種情報を用いて、加湿器２０が結露する条件を満たすか否かを判定する（ステップＳＴ４）。加湿器２０は、例えば風量調整ダンパ８０ａ、８０ｂの開度が小さいほど、主ダクト３ａ、３ｂからサブダクト３０内に逆流する冷風の風量が多くなるため結露が発生する条件を満たしやすくなる。また、加湿器２０は、空調装置１の運転モードが冷房運転であり、空調装置１が送出する空調空気（冷風）の風量が多いほど、主ダクト３ａ、３ｂからサブダクト３０内に逆流する冷風の風量が多くなるため結露が発生する条件を満たしやすくなる。また、加湿器２０は、周辺の温度及び湿度が高いほど結露が発生する条件を満たしやすくなる。
【００３９】
判定部７４により加湿器２０が結露する条件を満たすと判定された場合（ステップＳＴ４におけるＹＥＳ）、制御部７６は送風ファン４０を起動する（ステップＳＴ５）。起動された送風ファン４０は、吸気口６０から部屋２００ｄの空気を取り込み、図２の実線矢印で示すように、送風ダクト５０を介して加湿器２０に送風する。すると、送風ファン４０からの送風でサブダクト３０内に逆流した冷風が再び主ダクト３ａ、３ｂ方向へ押し戻され、加湿器２０内への流入が抑止される。これにより、加湿器２０における結露の発生が抑制される。
【００４０】
一方、判定部７４により加湿器２０が結露する条件を満たさないと判定された場合（ステップＳＴ４におけるＮＯ）、制御部７６は何も行わず、コントローラ７０は処理を終了する。
【００４１】
また、ステップＳＴ１において制御部７６により加湿器２０及び送風ファン４０が停止していない、すなわち少なくともいずれか一方が稼働していることが確認された場合（ステップＳＴ１におけるＮＯ）、冷風が加湿器２０内に流入する可能性は低く、加湿器２０が結露する条件を満たす可能性も低いと考えられる。したがって、コントローラ７０はそのまま処理を終了する。
【００４２】
このように、コントローラ７０は、判定部７４で加湿器２０が結露する条件を満たすと判定された場合に送風ファン４０を起動する。これにより、送風ファン４０からの送風でサブダクト３０内に逆流した冷風が再び主ダクト３ａ、３ｂ方向へ押し戻され、加湿器２０内への流入が抑止される。このようにして、コントローラ７０は加湿器２０における結露の発生を抑制することができる。
【００４３】
なお、風量調整ダンパ８０ａ、８０ｂの開閉状況は、主ダクト３ａ、３ｂからサブダクト３０内に逆流する冷風の風量に大きく影響し、ひいては加湿器２０が結露する条件を満たすか否かに大きく影響する。したがって、取得部７２は、少なくとも風量調整ダンパ８０ａ、８０ｂの開閉状況に関する情報を取得し、判定部７４は当該取得した情報を加湿器２０が結露する条件を満たすか否かの判定に用いるようにするのが望ましい。
【００４４】
一方、実施の形態１では、図４のステップＳＴ３において取得部７２が空調装置１の運転モードに関する情報、空調装置１が送出している空調空気の風量に関する情報、並びに加湿器２０周辺の温度及び湿度に関する情報を取得したが、取得部７２は必ずしもこれらすべての情報を取得する必要はなく、これらのうち少なくとも１つの情報を取得するようにしてもよい。また、その場合、判定部７４はステップＳＴ２で取得部７２により取得された風量調整ダンパ８０ａ、８０ｂの開閉状況に関する情報と、ステップＳＴ３で取得部７２により取得された上記情報のうちの少なくとも１つの情報とに基づき、加湿器２０が結露する条件を満たすか否かを判定すればよい。
【００４５】
また、取得部７２は、ステップＳＴ２で風量調整ダンパ８０ａ、８０ｂの開閉状況に関する情報を取得していれば、ステップＳＴ３（空調装置１の運転モードに関する情報、空調装置１が送出している空調空気の風量に関する情報、並びに加湿器２０周辺の温度及び湿度に関する情報の取得）を省略してもよい。
【００４６】
また、判定部７４は、加湿器２０が結露する条件を満たすと判定した場合、当該判定に用いた情報に基づき、加湿器２０の結露を抑制するために最低限必要な送風ファン４０からの送風量を算出し、制御部７６は当該送風量が加湿器２０に送られるように送風ファン４０の稼働を制御してもよい。これにより、コントローラ７０は送風ファン４０が過剰な風量を送風することによるエネルギーのロスを抑制できる。
【００４７】
以上のように、実施の形態１によれば、コントローラ７０は、一つ以上の主ダクト３ａ、３ｂの端部に設けられた風量調整ダンパ８０ａ、８０ｂの開閉状況に関する情報を取得する取得部７２と、取得部７２で取得された風量調整ダンパ８０ａ、８０ｂの開閉状況に関する情報に基づき、加湿器２０が結露する条件を満たすか否かを判定する判定部７４と、判定部７４により加湿器２０が結露する条件を満たすと判定された場合に、送風ファン４０を起動する制御部７６とを備える。これにより、コントローラは、サブダクト３０内を逆流した冷風が加湿器２０内へ流入し加湿器２０が冷やされることによる結露の発生を抑制することができる。特に、加湿器２０は天井裏等の隠蔽された高温多湿の環境下に設置されているため結露が発生しやすい状況にあるが、コントローラ７０はこのような状況においても加湿器２０における結露の発生を抑制することができる。
【００４８】
また、コントローラ７０は加湿器２０が結露する条件を満たすと判定された場合に送風ファン４０を起動するので、送風ファン４０を常時稼働させることによるエネルギーのロスを抑制することができる。
【００４９】
また、判定部７４は、空調装置１の風量、空調装置１の運転モード、並びに加湿器２０周辺の温度及び湿度のうち少なくとも一つの情報と、風量調整ダンパ８０ａ、８０ｂの開閉状況に関する情報とに基づき、加湿器２０が結露する条件を満たすか否かを判定する。これにより、コントローラ７０は加湿器２０が結露する条件を満たすか否かをより高精度に判定することができる。
【００５０】
また、判定部７４は、空調装置１の風量、空調装置１の運転モード、並びに加湿器２０周辺の温度及び湿度のうち少なくとも一つの情報と、風量調整ダンパ８０ａ、８０ｂの開閉状況に関する情報とを学習データとして、機械学習により加湿器２０が結露する条件を学習する。これにより、コントローラ７０は加湿器２０が結露する条件を満たすか否かをより高精度に、かつ高い信頼性、再現性のもとに判定することができる。
【００５１】
なお、実施の形態１では、風量調整ダンパ８０ａ、８０ｂが主ダクト３ａ、３ｂの分岐チャンバ４ａ、４ｂ側の端部に設けられた例を説明したが、風量調整ダンパ８０ａ、８０ｂは分岐ダクト５ａ〜５ｄの吹出口７ａ〜７ｄ側の端部に設けられていてもよく、またはその両方に設けられていてもよい。その場合、取得部７２は、各箇所に設けられた風量調整ダンパ８０ａ、８０ｂの開閉状況に関する情報を適宜取得すればよい。
【００５２】
また、実施の形態１では、調湿装置が加湿器２０である場合を例に説明したが、調湿装置は除湿器であってもよい。また、実施の形態１では主ダクトが２本（３ａ、３ｂ）設けられた場合を例に説明したが、主ダクトは例えば１本でもよく、または３本以上であってもよい。また、コントローラ７０は、図４で示したフローチャートに基づく処理を任意の間隔（例えば５分間隔）で繰り返し実行してもよい。
【００５３】
なお、本願発明はその発明の範囲内において、実施の形態の任意の構成要素の変形、もしくは実施の形態において任意の構成要素の省略が可能である。
【符号の説明】
【００５４】
１  空調装置
２  サプライチャンバ
３ａ，３ｂ  主ダクト
４ａ，４ｂ  分岐チャンバ
５ａ〜５ｄ  分岐ダクト
６  換気装置
７ａ〜７ｄ  吹出口
８ａ  排気ダクト
８ｂ  吸気ダクト
１１  室内機
１２  室外機
２０  加湿器（調湿装置）
３０  サブダクト
４０  送風ファン
５０  送風ダクト
６０  吸気口
７０  コントローラ
７２  取得部
７４  判定部
７６  制御部
８０ａ、８０ｂ  ダンパ（風量調整ダンパ）
１００ａ，１００ｂ  部屋
１００ｆ  廊下
１００ｇ  階段
２００ｃ，２００ｄ  部屋
２００ｅ  機械室
２００ｈ  廊下
【図１】
2020176779.tif 000003
【図２】
2020176779.tif 000004
【図３】
2020176779.tif 000005
【図４】
2020176779.tif 000006